(57)【要約】      （修正有）【課題】楽曲検索用の楽曲リストを、ユーザの嗜好を反映させ、かつ自動で並べ替えることにより、楽曲検索時のリストスクロール回数を少なくし、操作時間を短縮することが出来る「オーディオ装置及びその楽曲検索方法」を提供する。【解決手段】操作部Ｍ３から楽曲検索指示がされると、制御部Ｍ６は、楽曲データに関連付けられた所定のグループ毎に区分される楽曲情報を楽曲情報記憶部Ｍ５から読み出す。その後、楽曲リスト作成部Ｍ８は、グループ毎に楽曲情報の項目数を算出し、項目数が多いグループ順に楽曲情報を並べ替えて楽曲リストを作成し、表示部Ｍ１０に表示する。【選択図】図１
2010238275.tif 000002
【特許請求の範囲】
【請求項１】
楽曲データ記憶部に記憶された楽曲データに関連付け、かつグループ毎に区分して楽曲情報を記憶する楽曲情報記憶部から前記楽曲情報を読み出して表示部にリスト表示し、該表示された所定の楽曲情報の楽曲データの再生が指示されたとき、該楽曲データを前記楽曲データ記憶部から読み出して再生するオーディオ装置において、
操作部と、
前記操作部からの入力信号に応じて、前記楽曲情報記憶部から前記楽曲情報を読み出し、
前記グループ毎に楽曲情報の項目数を算出し、前記算出した楽曲情報の項目数が多いグループ順に楽曲情報を並べ替えて楽曲リストを作成して前記表示部に表示する制御部と、
を備えることを特徴とするオーディオ装置。
【請求項２】
前記楽曲情報に楽曲データの再生回数を含ませておき、
前記制御部は、前記グループ毎に楽曲情報に記憶された楽曲データの再生回数を算出し、前記算出した楽曲の再生回数が多いグループ順に楽曲情報を並べ替えて楽曲リストを作成する、
ことを特徴とする請求項１記載のオーディオ装置。
【請求項３】
前記グループは、前記楽曲情報の先頭文字の言語種別毎によって区分される、
ことを特徴とする請求項１または２記載のオーディオ装置。
【請求項４】
前記楽曲情報は、アーティスト名、アルバム名、楽曲名の少なくとも１つを含む、
ことを特徴とする請求項１〜３のいずれかに記載のオーディオ装置。
【請求項５】
前記オーディオ装置は、車載オーディオ装置であり、前記楽曲データ記憶部と前記楽曲情報記憶部は、携帯型オーディオ装置に備えられている、
ことを特徴とする請求項１〜４のいずれかに記載のオーディオ装置。
【請求項６】
楽曲データ記憶部に記憶された楽曲データに関連付け、かつグループ毎に区分して楽曲情報を記憶する楽曲情報記憶部から前記楽曲情報を読み出して表示部にリスト表示し、該表示された所定の楽曲情報の楽曲データの再生が指示されたとき、該楽曲データを前記楽曲データ記憶部から読み出して再生するオーディオ装置の楽曲検索方法において、
操作部から楽曲検索の指示を行うステップと、
前記検索指示に応じて、前記グループ毎に区分されている楽曲情報を読み出すステップと、
前記読み出した楽曲情報から前記グループ毎に楽曲情報の項目数を算出するステップと、
前記算出した項目数が多いグループ順に楽曲情報を並べ替えて楽曲リストを作成するステップと、
前記楽曲リストを表示するステップと、
を有することを特徴とする楽曲検索方法。
【請求項７】
前記楽曲情報に楽曲データの再生回数を含ませておき、
前記グループ毎に楽曲情報に記憶された楽曲データの再生回数を算出するステップと、
前記算出した楽曲データの再生回数が多いグループ順に楽曲情報を並べ替えて楽曲リストを作成するステップと、
を有することを特徴とする請求項６記載の楽曲検索方法。
【請求項８】
前記グループは、前記楽曲情報の先頭文字の言語種別毎によって区分される、
ことを特徴とする請求項６または７記載の楽曲検索方法。
【請求項９】
前記楽曲情報は、アーティスト名、アルバム名、楽曲名の少なくとも１つを含む、
ことを特徴とする請求項６〜８のいずれかに記載の楽曲検索方法。
【発明の詳細な説明】
【技術分野】
【０００１】
本発明は、楽曲データ記憶部に記憶された楽曲データに関連付け、かつグループ毎に区分して楽曲情報を記憶する楽曲情報記憶部から前記楽曲情報を読み出して表示部にリスト表示し、該表示された所定の楽曲情報の楽曲データの再生が指示されたとき、該楽曲データを前記楽曲データ記憶部から読み出して再生するオーディオ装置及びその楽曲検索方法に関する。
【背景技術】
【０００２】
近年、携帯型オーディオ装置では、多数の楽曲をハードディスク（以下、ＨＤＤ）等に記憶して再生することができる。このような携帯型オーディオ装置の楽曲検索による楽曲再生制御について説明する。まず、携帯型オーディオ装置は、ＨＤＤに楽曲が記憶されると、図２６に示すようなアーティスト、アルバム、楽曲名などの楽曲情報と楽曲データの記憶位置を示すファイルパスとが記憶された楽曲情報データベースを作成する。また、各楽曲情報は、前記楽曲情報の先頭文字の言語種別（英語、数字、日本語など）毎に区分されて記憶されている。その後、ユーザ操作により検索すべき楽曲情報の種別が指示されると、該当する楽曲情報を区分された言語種別毎（例えば、「英語（Ａ−Ｚ）／数字（０−９）／日本語（かな・カナ・漢字）」の順）に楽曲情報データベースから読み出し、楽曲リストが作成されるようになっている。これにより、ユーザ操作によりアーティスト名での楽曲検索が指示された場合、図２４のような楽曲リストが作成され、その楽曲リストの一部（例えば、連続する５項目）が表示部に表示される。なお、この楽曲リストはスクロールキーでスクロール可能となっている。そして、楽曲リスト表示画面から、ユーザが所望のアーティストを選択すると、選択されたアーティストに関連付けて記憶されている楽曲をファイルパス（図２６参照）を基にＨＤＤから楽曲データを読み出して再生する。
【０００３】
また、上記のような携帯型オーディオ装置の普及に伴い、車載オーディオ装置でも携帯型オーディオ装置を接続し、携帯型オーディオ装置に記憶されている楽曲を聴けるようになっている。このような車載オーディオ装置の楽曲再生制御について説明する。ユーザにより検索すべき楽曲情報のアーティスト名検索、アルバム名検索、楽曲名検索といった検索モードの種別が車載オーディオ装置から指示されると、車載オーディオ装置は、携帯型オーディオ装置に記憶された楽曲情報データベース（図２６）を参照して、該当する楽曲情報を取得し、車載オーディオ装置のディスプレイに言語種別毎（例えば、英語／数字／日本語の順）にリスト表示されるようになっている。その後、ユーザが表示された楽曲情報を選択すると、選択された楽曲情報に関連付けて記憶されている楽曲をファイルパス（図２６参照）を基に携帯型オーディオ装置から楽曲データを読み出して再生する。
【０００４】
しかしながら、上記携帯型オーディオ装置及び車載オーディオ装置による楽曲再生制御において、携帯型オーディオ装置に記憶されている楽曲情報の先頭文字の言語種別が複数記憶されている場合、ディスプレイに表示される楽曲情報のリスト表示順は固定（英語／数字／日本語の順）であった。よって、ユーザの嗜好が邦楽（日本語）であっても、上記の順序で表示されてしまうため、邦楽を検索したいユーザは、所望の楽曲を探すために洋楽の楽曲情報（英語）をリストスクロールし、邦楽の楽曲情報（日本語）を表示させなければならなかった。特に、近年のオーディオ装置はＨＤＤに多数の楽曲（数百から数千の楽曲）を記録することが可能なため、邦楽の楽曲情報を表示するためのリストスクロール操作回数が増加傾向にある。
【０００５】
そこで、従来技術として、例えば、特許文献１及び特許文献２では、楽曲情報に再生回数や再生時間などの再生履歴データを対応付けて記憶し、ユーザにより楽曲情報の検索が指示されると、楽曲情報を再生回数や再生時間に基づいて並べ替えて、楽曲リストを表示することで、よく聴く楽曲を検索し易くし、ユーザの嗜好を反映したものを開示している。これにより、頻繁に聴く楽曲がリストの上位に表示されるようになるので、選択操作の手間が省ける。
【０００６】
また、特許文献３では、ユーザが楽曲情報の表示順序を言語種別毎に「洋楽ユーザ向け（英語／数字／日本語／その他）」または「邦楽ユーザ向け（日本語／数字／英語／その他）」に選択設定できるようにしたものを開示している。これにより、ユーザの嗜好に合わせて楽曲情報の表示順を任意に変更することができ、検索時間を短縮させることができる。
【先行技術文献】
【特許文献】
【０００７】
【特許文献１】特開２００３−２７２２８１号  公報
【特許文献２】特開２００８−２１０４６２号  公報
【特許文献３】特開２００７−０４２０６９号  公報
【発明の概要】
【発明が解決しようとする課題】
【０００８】
しかし、上記特許文献１及び特許文献２の技術では、再生回数や再生時間などの再生履歴データに基づいて楽曲リストを並べ替えたことで、よく聴く楽曲を楽曲リストの上位に表示することができるが、これらの技術では、図２５のように楽曲情報の先頭文字が言語種別毎にならず、離散的に並べ替えられてしまう場合があり、所望の楽曲検索を行う際に、前記所望の楽曲のリスト表示位置の目安が分からず何度もリストスクロールを繰り返してしまうことがあった。
【０００９】
また、上記特許文献３の技術では、ユーザの嗜好を反映させるため、ユーザ自身が手動で洋楽ユーザなのか、邦楽ユーザなのかを設定することによって、楽曲情報の表示順序を並べ替えている。よって、ユーザの楽曲の嗜好が変更するたびに手動で洋楽ユーザまたは邦楽ユーザを設定し直す必要があった。
【００１０】
そこで、本発明の目的は、ユーザの嗜好を反映し、かつ言語種別毎に楽曲リストを自動で並べ替えることで、所望の楽曲を検索する時のリストスクロール回数を少なくし、操作時間を短縮することができるオーディオ装置を提供することである。
【課題を解決するための手段】
【００１１】
本発明は、楽曲データ記憶部に記憶された楽曲データに関連付け、かつグループ毎に区分して楽曲情報を記憶する楽曲情報記憶部から前記楽曲情報を読み出して表示部にリスト表示し、該表示された所定の楽曲情報の楽曲データの再生が指示されたとき、該楽曲データを前記楽曲データ記憶部から読み出して再生するオーディオ装置であり、操作部と、前記操作部からの入力信号に応じて、前記楽曲情報記憶部から前記楽曲情報を読み出し、前記グループ毎に楽曲情報の項目数を算出し、前記算出した楽曲情報の項目数が多いグループ順に楽曲情報を並べ替えて楽曲リストを作成して前記表示部に表示する制御部とを備えている。
【００１２】
前記楽曲情報に楽曲データの再生回数を含ませておき、前記制御部は、楽曲データの再生回数を前記グループ毎に算出し、前記算出した楽曲回数が多いグループ順に楽曲リストを作成する。
【００１３】
前記グループは、前記楽曲情報の先頭文字の言語種別毎によって区分され、前記楽曲情報は、アーティスト名、アルバム名、楽曲名の少なくとも１つを含んでいる。また、上記オーディオ装置は、車載オーディオ装置であり、前記楽曲データ記憶部と前記楽曲情報記憶部は携帯型オーディオ装置に備えられていてもよい。
【００１４】
本発明は、楽曲データ記憶部に記憶された楽曲データに関連付け、かつグループ毎に区分して楽曲情報を記憶する楽曲情報記憶部から前記楽曲情報を読み出して表示部にリスト表示し、該表示された所定の楽曲情報の楽曲データの再生が指示されたとき、該楽曲データを前記楽曲データ記憶部から読み出して再生するオーディオ装置の楽曲検索方法であり、操作部から楽曲検索の指示を行うステップと、前記検索指示に応じて、前記グループ毎に区分されている楽曲情報を読み出すステップと、前記読み出した楽曲情報から前記グループ毎に楽曲情報の項目数を算出するステップと、前記算出した項目数が多いグループ順に楽曲情報を並べ替えて楽曲リストを作成するステップと、前記楽曲リストを表示するステップと、前記楽曲リストを表示するステップとを有している。
【００１５】
上記楽曲検索方法は、前記楽曲情報に楽曲データの再生回数を含ませておき、前記グループに含まれる楽曲情報に記憶された楽曲データの再生回数を算出するステップと、前記算出した楽曲データの再生回数が多いグループ順に楽曲情報を並べ替えて楽曲リストを作成するステップとを有している。
【発明の効果】
【００１６】
本発明によれば、言語種別毎に区分されて記憶されている楽曲情報を検索する際、言語種別毎の楽曲情報の項目数に応じて、楽曲情報を並べ替えてリスト表示したり、言語種別毎の楽曲情報の再生回数に応じて、楽曲情報を並べ替えてリスト表示したりするようにしたため、ユーザの嗜好を反映し、かつ、所望の楽曲を検索する時のリストスクロール回数を少なくし、操作時間を短縮することができる。
【図面の簡単な説明】
【００１７】
【図１】実施例１に係るオーディオ装置の構成図である。
【図２】実施例１に係るオーディオ装置の楽曲記憶処理のフローチャートである
【図３】実施例１に係るオーディオ装置の楽曲検索処理と楽曲再生処理のフローチャート（その１）である。
【図４】実施例１に係るオーディオ装置の楽曲検索処理と楽曲再生処理のフローチャート（その２）である。
【図５】実施例１に係るオーディオ装置の楽曲検索処理と楽曲再生処理のフローチャート（その３）である。
【図６】楽曲検索モードの選択画面の表示例を示す図である。
【図７】アーティスト検索時の楽曲リストを示す図である。
【図８】アルバム検索時の楽曲リストを示す図である。
【図９】楽曲名検索時の楽曲リストを示す図である。
【図１０】楽曲再生画面の表示例である。
【図１１】実施例２に係るオーディオ装置の構成図である。
【図１２】再生回数データを含んだ楽曲情報データベースの構成を示す図である。
【図１３】実施例２に係るオーディオ装置の楽曲検索処理と楽曲再生処理のフローチャート（その１）である。
【図１４】実施例２に係るオーディオ装置の楽曲検索処理と楽曲再生処理のフローチャート（その２）である。
【図１５】実施例２に係るオーディオ装置の楽曲検索処理と楽曲再生処理のフローチャート（その３）である。
【図１６】実施例３に係るオーディオ装置の構成図である。
【図１７】実施例３に係るオーディオ装置の楽曲検索処理と楽曲再生処理のフローチャート（その１）である。
【図１８】実施例３に係るオーディオ装置の楽曲検索処理と楽曲再生処理のフローチャート（その２）である。
【図１９】実施例３に係るオーディオ装置の楽曲検索処理と楽曲再生処理のフローチャート（その３）である。
【図２０】実施例４に係るオーディオ装置の構成図である。
【図２１】実施例４に係るオーディオ装置の楽曲検索処理と楽曲再生処理のフローチャート（その１）である。
【図２２】実施例４に係るオーディオ装置の楽曲検索処理と楽曲再生処理のフローチャート（その２）である。
【図２３】実施例４に係るオーディオ装置の楽曲検索処理と楽曲再生処理のフローチャート（その３）である。
【図２４】従来のオーディオ装置の楽曲リストを示す図である。
【図２５】従来のオーディオ装置の再生回数を考慮した楽曲リストを示す図である。
【図２６】楽曲情報データベースの構成を示す図である。
【発明を実施するための形態】
【実施例１】
【００１８】
図１は、実施例１に係るオーディオ装置の構成図であり、本オーディオ装置は、携帯型オーディオ装置であるものとする。
外部接続インターフェースＭ２は各種オーディオ装置やＰＣ等の外部機器Ｍ１３と接続するためのインターフェースで、外部機器Ｍ１３とデータの送受を行う。
操作部Ｍ３は、タッチパネルやリモコンなどから構成され、外部接続インターフェースＭ２に接続された外部機器Ｍ１３より楽曲データと楽曲情報とから構成されるオーディオファイル（ＭＰ３ファイルなど）を取得する指示、楽曲情報の検索指示、楽曲データの再生指示を行うことができる。
【００１９】
楽曲データ記憶部Ｍ４は、外部接続インターフェースＭ２に接続された外部機器Ｍ１３より取得した楽曲データを記憶する。
楽曲情報記憶部Ｍ５は、外部接続インターフェースＭ２に接続された外部機器Ｍ１３より取得された楽曲情報（アーティスト名、アルバム名、楽曲名等）と楽曲データ記憶部Ｍ４に記憶された楽曲データの記憶位置（ファイルパス）とを対応付けた楽曲情報データベースを記憶する。なお、楽曲データ及び楽曲情報の楽曲記憶処理については後述する。
【００２０】
制御部Ｍ６は、データ記憶処理部Ｍ７、楽曲リスト作成部Ｍ８、楽曲データ読出部Ｍ９から構成される。データ記憶処理部Ｍ７は、ユーザが操作部Ｍ３からオーディオファイル取得指示をすると、外部接続インターフェースＭ２に接続された外部機器Ｍ１３からオーディオファイルを取得して、楽曲データを楽曲データ記憶部Ｍ４に記憶し、楽曲情報を楽曲データの記憶位置（ファイルパス）とを対応付けて楽曲情報記憶部Ｍ５に記憶する。楽曲リスト作成部Ｍ８は、ユーザが操作部Ｍ３から楽曲情報検索を指示すると、楽曲情報記憶部Ｍ５から楽曲情報を読み出して、楽曲検索用の楽曲リストを作成して表示部Ｍ１０に出力する。なお、楽曲リストを用いた楽曲再生処理については後述する。楽曲データ読出部Ｍ９は、ユーザが操作部Ｍ３から楽曲データ再生を指示すると、指示された楽曲データを楽曲データ記憶部Ｍ４から読み出して楽曲データ再生部Ｍ１１に出力する。このとき、楽曲データ読出部Ｍ９は、指示された楽曲データに対応する楽曲情報や各種再生コマンドを表示した再生画面を作成して表示部Ｍ１０に出力する。
【００２１】
表示部Ｍ１０は、液晶表示装置で構成され、制御部Ｍ６から入力される楽曲リストや再生画面を表示する。
楽曲データ再生部Ｍ１１は、制御部Ｍ６より入力された楽曲データを再生できるように、取得した楽曲データに対して復号処理やＤ/Ａ変換処理等を行い、スピーカＭ１２は、楽曲データ再生部Ｍ１１より入力された楽曲データを出力する。
【００２２】
次に、携帯型オーディオ装置Ｍ１の楽曲記憶処理について図２を用いて説明する。
ユーザは、楽曲情報と楽曲データとを記憶している外部機器Ｍ１３を外部接続インターフェースＭ２を介して携帯型オーディオ装置Ｍ１に接続する。そして、制御部Ｍ６は、ユーザが操作部Ｍ３よりオーディオファイル（楽曲情報と楽曲データ）取得指示をしたか否か判定する（Ｒ１）。ステップＲ１により、オーディオファイル取得指示がされていないと判定された場合、ステップＲ１の制御を常時行う。一方、ステップＲ１により、オーディオファイル取得指示がされたと判定された場合、データ記憶処理部Ｍ７は、ユーザにより指定されたオーディオファイルを外部接続インターフェースＭ２を介して外部機器Ｍ１３より取得する（Ｒ３）。
【００２３】
そして、データ記憶処理部Ｍ７は、ステップＲ３にて取得されたオーディオファイルのうちの楽曲データを楽曲データ記憶部Ｍ４に記憶する。この時、データ記憶処理部Ｍ７は、楽曲データを記憶させた記憶位置であるファイルパスを取得する（Ｒ５）。更に、データ記憶処理部Ｍ７は、ステップＲ３にて取得されたオーディオファイルの楽曲情報について、楽曲情報の先頭文字の言語種別（英語、日本語、数字）を特定する（Ｒ７）。なお、この言語種別の特定は、データ記憶処理部Ｍ７に入力された楽曲情報の先頭文字の文字コードを分析することにより特定する。例えば、入力された楽曲情報の文字コードがＵｎｉｃｏｄｅ（ＵＴＦ−１６）である場合、「０ｘ００４１〜０ｘ００５Ａ及び０ｘ００６１〜０ｘ００７Ａ」を英語と特定する。また、「０ｘ３０４０〜０ｘ３０ＦＦ及び０ｘ４Ｅ００〜０ｘ９ＦＡ５」を日本語、「０ｘ００３０〜０ｘ００３９」を数字と特定する。そして、データ記憶処理部Ｍ７は、ステップＲ５にて取得した楽曲データのファイルパスを楽曲データと関連する楽曲情報と対応付け、かつ、ステップＲ７にて判定された言語種別情報を楽曲情報に付与し、楽曲情報記憶部Ｍ５に記憶する（Ｒ９）。
【００２４】
次に、ステップＲ１で取得指示されたオーディオファイル全てを記憶したか否かを判定する（Ｒ１１）。ステップＲ１１により、取得指示されたオーディオファイル全てをまだ記憶していないと判定された場合、次の楽曲について、再びステップＲ３の処理を開始する。一方、ステップＲ１１により、オーディオファイルを全て記憶したと判定された場合、外部機器Ｍ１３から携帯型オーディオ装置Ｍ１への楽曲記憶処理を終了する。
【００２５】
上記の楽曲記憶処理により、携帯型オーディオ装置Ｍ１の楽曲情報記憶部Ｍ５には、図２６のように言語種別情報を付与してアーティスト名、アルバム名、楽曲名、ファイルパスが記憶され、また、携帯型オーディオ装置Ｍ１の楽曲データ記憶部Ｍ４には楽曲データが記憶される。
【００２６】
ここで、楽曲情報の先頭文字の言語種別情報を日本語、英語、数字の３つの場合を説明したが、これに限らず、例えば、ロシア語や中国語等の他の言語を加えることができる。また、文字コードの範囲を任意に設定し、言語種別情報を自由に割り当てることも可能である。
【００２７】
次に、携帯型オーディオ装置Ｍ１の楽曲検索及び再生処理について説明する。
図３〜５は、実施例１に係る携帯型オーディオ装置の楽曲検索及び再生処理のフローチャートである。ここで、上述の楽曲記憶処理により、楽曲情報記憶部Ｍ５には図２６に示した楽曲情報データベースが記憶されており、楽曲データ記憶部Ｍ４には楽曲情報記憶部Ｍ５に記憶されている楽曲情報に対応する楽曲データが記憶されているものとする。
【００２８】
まず、制御部Ｍ６は、ユーザが操作部Ｍ３より楽曲検索を指示したか否かを判定する（Ｓ１０１）。制御部Ｍ６により、ユーザが操作部Ｍ３より楽曲検索を指示していないと判定された場合、ステップＳ１０１の処理を継続して行う。一方、制御部Ｍ６により、ユーザが操作部Ｍ３より楽曲検索を指示したと判定された場合、制御部Ｍ６は、楽曲検索モードをユーザに選択させる画面（図６）を作成して表示部Ｍ１０に表示する（Ｓ１０３）。次に、制御部Ｍ６は、ユーザにより選択画面から選択される楽曲検索モードを判定する。具体的にはユーザにより図６の選択画面から符号５０ａ、符号５０ｂ、符号５０ｃのいずれかが選択されたかを監視することにより判定する。
【００２９】
ユーザが選択画面から符号５０ａを選択した場合（Ｓ１０５）、制御部Ｍ６は、アーティスト検索モードが選択されたと判定する。そして、制御部Ｍ６は、楽曲情報記憶部Ｍ５に記憶されている楽曲情報データベースからアーティスト情報とアーティスト情報に対応付けられた言語種別情報（英語（Ａ―Ｚ）、日本語（かな・カナ・漢字）、数字（０−９））とファイルパスとを取得する（Ｓ１１１）。次に、楽曲リスト作成部Ｍ８は、ステップＳ１１１にて取得したアーティスト情報に対応付けられた言語種別情報に基づいて言語種別毎に収録されているアーティスト情報の項目数を算出する（Ｓ１１３）。そして、楽曲リスト作成部Ｍ８は、言語種別毎のアーティスト情報の項目数の算出結果に基づいて、アーティスト情報の項目数が多い言語種別順にアーティスト情報を並べ替えて楽曲検索用の楽曲リストを作成する（Ｓ１１５）。その後、楽曲リスト作成部Ｍ８は、ステップＳ１１５にて作成された楽曲リストを表示部Ｍ１０に表示する（Ｓ１１７）。
【００３０】
従って、図２６に示した楽曲情報データベースの場合、上記ステップＳ１１１〜ステップＳ１１７により、英語のアーティスト情報の項目数が「４」、数字のアーティスト情報の項目数が「２」、日本語のアーティスト情報の項目数が「５」と算出される。そのため、楽曲リスト作成部Ｍ８は、アーティスト情報の言語種別情報が「日本語／英語／数字」の順に並べ替えられた楽曲リスト（図７）を作成して、その楽曲リストの一部（例えば、連続する５項目）を表示部Ｍ１０に表示する。なお、この楽曲リストは図示しないスクロールキーでスクロール可能となっている。
【００３１】
次に、ユーザは、表示部Ｍ１０に表示された楽曲リストから所望のアーティストを選択すると（Ｓ１１９）、楽曲データ読出部Ｍ９は、選択されたアーティストに関連付けて記憶されているファイルパスから再生する楽曲データを特定し（Ｓ１２１）、楽曲データ記憶部Ｍ４から楽曲データを読み出す（Ｓ１２３）。そして、楽曲データ読出部Ｍ９が読み出した楽曲データは、再生指示により楽曲データ再生部Ｍ１１に出力され、楽曲データ再生部Ｍ１１で復号処理やＤ/Ａ変換処理が行われ、その後、スピーカから出力される（Ｓ１２５）。また、楽曲データ読出部Ｍ９は、ステップＳ１２５で再生されている楽曲データに対応する楽曲情報を楽曲情報記憶部Ｍ５より読み出して表示部Ｍ１０に表示する（Ｓ１２７）。
【００３２】
従って、図７に示す楽曲リストからアーティスト「清水翔」２０が選択されて、アーティスト「清水翔」に関連付けられた楽曲データ（Ｄａｔａ３４）が再生されている場合、楽曲データ読出部Ｍ９は、図１０に示す楽曲再生画面を作成して表示部Ｍ１０に表示する。
【００３３】
また、ステップＳ１０３により表示された選択画面から、ユーザが符号５０ｂを選択した場合（Ｓ１０７）、制御部Ｍ６は、アルバム検索モードが選択されたと判定する。そして、制御部Ｍ６は、楽曲情報記憶部Ｍ５に記憶されている楽曲情報データベースからアルバム情報とアルバム情報に対応付けられた言語種別情報（英語（Ａ―Ｚ）、日本語（かな・カナ・漢字）、数字（０−９））とファイルパスとを取得する（Ｓ１３１）。次に、楽曲リスト作成部Ｍ８は、ステップＳ１３１にて取得したアルバム情報に対応付けられた言語種別情報に基づいて言語種別毎に収録されているアルバム情報の項目数を算出する（Ｓ１３３）。その後、楽曲リスト作成部Ｍ８は、言語種別毎のアルバム情報の項目数の算出結果に基づいて、アルバム情報の項目数が多い言語種別順にアルバム情報を並べ替えて楽曲検索用の楽曲リストを作成する（Ｓ１３５）。そして、楽曲リスト作成部Ｍ８は、ステップＳ１３５にて作成された楽曲リストを表示部Ｍ１０に表示する（Ｓ１３７）。
【００３４】
従って、図２６に示した楽曲情報データベースの場合、上記ステップＳ１３１〜ステップＳ１３７により、英語のアルバム情報の項目数が「７」、数字のアルバム情報の項目数が「１」、日本語のアルバム情報の項目数が「６」と算出される。そのため、楽曲リスト作成部Ｍ８は、アルバム情報の言語種別情報が「英語／日本語／数字」の順に並べ替えられた楽曲リスト（図８）を作成して、その楽曲リストの一部（例えば、連続する５項目）を表示部Ｍ１０に表示する。なお、この楽曲リストは図示しないスクロールキーでスクロール可能となっている。
【００３５】
次に、ユーザは、表示部Ｍ１０に表示された楽曲リストから所望のアルバムを選択する（Ｓ１３９）と、楽曲データ読出部Ｍ９は、選択されたアルバムに関連付けて記憶されているファイルパスから再生する楽曲データを特定（Ｓ１４１）し、楽曲データ記憶部Ｍ４から楽曲データを読み出す（Ｓ１４３）。そして、楽曲データ読出部Ｍ９が読み出した楽曲データは、上記ステップＳ１２５の処理が行われ、楽曲データが再生され、上記ステップＳ１２７の処理により、再生されている楽曲データに対応する楽曲情報が表示部Ｍ１０に表示される。
【００３６】
従って、図８に示す楽曲リストからアルバム「あい世界」３０が選択されて、アルバム「あい世界」に関連付けられた楽曲データ（Ｄａｔａ３４）が再生されている場合、楽曲データ読出部Ｍ９は、図１０に示す楽曲再生画面を作成して表示部Ｍ１０に表示する。
【００３７】
また、ステップＳ１０３により表示された選択画面から、ユーザが符号５０ｃを選択した場合（Ｓ１０９）、制御部Ｍ６は、選択された検索モードが楽曲名検索モードと判定する。そして、制御部Ｍ６は、楽曲情報記憶部Ｍ５に記憶されている楽曲情報データベースから楽曲名情報と楽曲名情報に対応付けられた言語種別情報（英語（Ａ―Ｚ）、日本語（かな・カナ・漢字）、数字（０−９））とファイルパスとを取得する（Ｓ１５１）。次に、楽曲リスト作成部Ｍ８は、ステップＳ１５１にて取得した楽曲名情報に対応付けられた言語種別情報に基づいて言語種別毎に収録されている楽曲名情報の項目数を算出する（Ｓ１５３）。その後、楽曲リスト作成部Ｍ８は、言語種別毎の楽曲名情報の項目数の算出結果に基づいて、楽曲名情報の項目数が多い言語種別順に楽曲名情報を並べ替えて楽曲検索用の楽曲リストを作成する（Ｓ１５５）。そして、楽曲リスト作成部Ｍ８は、ステップＳ１５５にて作成された楽曲リストを表示部Ｍ１０に表示する（Ｓ１５７）。
【００３８】
従って、図２６に示した楽曲情報データベースの場合、上記ステップＳ１５１〜ステップＳ１５７により、英語の楽曲名情報の項目数が「１０」、数字の楽曲名情報の項目数が「１」、日本語の楽曲名情報の項目数が「１２」と算出される。そのため、楽曲リスト作成部Ｍ８は、楽曲名情報の言語種別情報が「日本語／英語／数字」の順に並べ替えられた楽曲リスト（図９）を作成して、その楽曲リストの一部（例えば、連続する５項目）を表示部Ｍ１０に表示する。なお、この楽曲リストは図示しないスクロールキーでスクロール可能となっている。ここで、符号４０及び符号４１は、楽曲リストの省略表示を示すものであり、符号４０は、日本語のグループに含まれる楽曲名情報で、「どこにいるの」と「ラヴ・ショー」の間に含まれる４つの楽曲名情報（例えば：「友達」）が省略されている。また、符号４１は。英語のグループに含まれる楽曲名情報で、「Ｄｅｓｔｉｎｙ」と「ｓｏｕｌｆｕｌ」の間に含まれる５つの楽曲情報（例えば：「Ｆｌｏｗｅｒ」）が省略されている。
【００３９】
次に、ユーザは、表示部Ｍ１０に表示された楽曲リストから所望の楽曲名を選択すると（Ｓ１５９）、楽曲データ読出部Ｍ９は、選択された楽曲名に関連付けて記憶されているファイルパスから再生する楽曲データを特定し（Ｓ１６１）、楽曲データ記憶部Ｍ４から楽曲データを読み出す（Ｓ１６３）。そして、楽曲データ読出部Ｍ９が読み出した楽曲データは、上記ステップＳ１２５の処理が行われ、楽曲データが再生され、上記ステップＳ１２７の処理により、再生されている楽曲データに対応する楽曲情報が表示部Ｍ１０に表示される。
【００４０】
従って、図９に示す楽曲リストから楽曲名「たったひとつ」４２が選択されて、楽曲名「たったひとつ」に関連付けられた楽曲データ（Ｄａｔａ３４）が再生されている場合、楽曲データ読出部Ｍ９は、図１０に示す楽曲再生画面を作成して表示部Ｍ１０に表示する。
【００４１】
上記の構成と処理により、言語種別毎に区分されて記憶されている楽曲情報を検索する際、言語種別毎の楽曲情報の項目数に応じて、楽曲情報を並べ替えてリスト表示するようにしたため、ユーザの嗜好を反映し、かつ、所望の楽曲を検索する時のリストスクロール回数を少なくし、操作時間を短縮することができる。
【実施例２】
【００４２】
図１１は、実施例２に係るオーディオ装置の構成図であり、本オーディオ装置は、携帯型オーディオ装置であるものとする。なお、実施例１（図１）と同じ構成要素については、同じ符号を付してその説明を省略する。
楽曲情報記憶部Ｍ２５は、外部接続インターフェースＭ２に接続された外部機器Ｍ１３より取得された楽曲情報（アーティスト名、アルバム名、楽曲名等）と、各楽曲の再生回数を示す再生回数データと、楽曲データ記憶部Ｍ４に記憶された楽曲データの記憶位置（ファイルパス）とを対応付けた楽曲情報データベースを記憶する。
【００４３】
制御部Ｍ２６は、データ記憶処理部Ｍ２７、楽曲リスト作成部Ｍ２８、楽曲データ読出部Ｍ２９によって構成されている。データ記憶処理部Ｍ２７は、実施例１の楽曲記憶処理（図２）に加え、楽曲データ読出部Ｍ２９からの再生回数データ更新指示を受け、再生された楽曲の再生回数データを「１」加算し、楽曲情報記憶部Ｍ２５に記憶させる。楽曲リスト作成部Ｍ２８は、ユーザが操作部Ｍ３から楽曲情報検索を指示すると、楽曲情報記憶部Ｍ２５から楽曲情報や再生回数データを読み出して、この再生回数データに基づいて楽曲検索用の楽曲リストを作成して表示部Ｍ１０に出力する。なお、楽曲リストを用いた楽曲再生処理については後述する。楽曲データ読出部Ｍ２９は、ユーザにより、操作部Ｍ３から楽曲データ再生指示がされると、楽曲データ記憶部Ｍ４から楽曲データを読み出して、楽曲データ再生部Ｍ１１に楽曲データを出力するとともに、この楽曲データと関連付けられている楽曲情報の再生回数データを「１」加算するようにデータ記憶処理部Ｍ２７に指示する。
【００４４】
次に、携帯型オーディオ装置Ｍ２１の楽曲検索及び再生処理について説明する。
図１３〜１５は、実施例２に係る携帯型オーディオ装置の楽曲検索及び再生処理のフローチャートである。ここで、楽曲情報記憶部Ｍ２５には図１２に示した楽曲情報データベースが記憶されており、再生回数データが更新されている状態であり、楽曲データ記憶部Ｍ４には楽曲情報記憶部Ｍ２５に記憶されている楽曲情報に対応する楽曲データが記憶されているものとする。
【００４５】
まず、制御部Ｍ２６は、ユーザが操作部Ｍ３より楽曲検索を指示したか否かを判定する（Ｓ２０１）。ステップＳ２０１により、ユーザが操作部Ｍ３より楽曲検索指示していないと判定された場合、ステップＳ２０１の処理を継続して行う。一方、ステップＳ２０１により、ユーザが操作部Ｍ３より楽曲検索を指示したと判定された場合、制御部Ｍ２６は、楽曲検索モードをユーザに選択させる画面（図６）を作成して表示部Ｍ１０に表示する（Ｓ２０３）。次に、制御部Ｍ２６は、ユーザにより選択画面から選択される楽曲検索モードを判定する。具体的にはユーザにより図６の選択画面から符号５０ａ、符号５０ｂ、符号５０ｃのいずれかが選択されたかを監視することにより判定する。
【００４６】
ユーザが選択画面から符号５０ａを選択した場合（Ｓ２０５）、制御部Ｍ２６は、アーティスト検索モードが選択されたと判定する。そして、制御部Ｍ２６は、楽曲情報記憶部Ｍ２５に記憶されている楽曲情報データベースからアーティスト情報とアーティスト情報に対応付けられた言語種別情報（英語（Ａ―Ｚ）、日本語（かな・カナ・漢字）、数字（０−９））と再生回数データと、ファイルパスと、を取得する（Ｓ２１１）。そして、楽曲リスト作成部Ｍ２８は、ステップＳ２１１にて取得したアーティスト情報に対応付けられた言語種別情報に基づいて言語種別毎に収録されているアーティスト情報の再生回数データを算出する（Ｓ２１３）。楽曲リスト作成部Ｍ２８は、言語種別毎のアーティスト情報の再生回数データの算出結果に基づいて、再生回数が多い言語種別順にアーティスト情報を並べ替えて楽曲検索用の楽曲リストを作成する（Ｓ２１５）。そして、楽曲リスト作成部Ｍ２８は、ステップＳ２１５にて作成された楽曲リストを表示部Ｍ１０に表示する（Ｓ２１７）。
【００４７】
従って、図１２に示した楽曲情報データベースの場合、上記ステップＳ２１１〜ステップＳ２１７により、英語のアーティスト情報の総再生回数が「１１５」、数字のアーティスト情報の総再生回数が「４０」、日本語のアーティスト情報の総再生回数が「１６４」と算出される。そのため、楽曲リスト作成部Ｍ２８は、アーティスト情報の言語種別情報が「日本語／英語／数字」の順に並べ替えられた楽曲リスト（図７）を作成して、その楽曲リストの一部（例えば、連続する５項目）を表示部Ｍ１０に表示する。なお、この楽曲リストは図示しないスクロールキーでスクロール可能となっている。
【００４８】
次に、ユーザは、表示部Ｍ１０に表示された楽曲リストから所望のアーティストを選択すると（Ｓ２１９）、楽曲データ読出部Ｍ２９は、選択されたアーティストに関連付けて記憶されているファイルパスから再生する楽曲データを特定し（Ｓ２２１）、楽曲データ記憶部Ｍ４から楽曲データを読み出す（Ｓ２２３）。そして、楽曲データ読出部Ｍ２９が読み出した楽曲データは、楽曲データ再生部Ｍ１１に出力され、復号処理やＤ/Ａ変換処理が行われ、その後、スピーカＭ１２から出力される。また、このとき、楽曲データ読出部Ｍ２９は、データ記憶処理部Ｍ２７に再生されている楽曲データの再生回数データの加算指示を出す（Ｓ２２５）。この指示により、データ記憶処理部Ｍ２７は、再生中の楽曲データの再生回数データに「１」を加算させ、加算された再生回数データを楽曲情報記憶部Ｍ２５に記憶させる（Ｓ２２７）。そして、楽曲データ読出部Ｍ２９は、ステップＳ２２５で再生されている楽曲データに対応する楽曲情報を楽曲情報記憶部Ｍ２５より読み出して表示部Ｍ１０に表示する（Ｓ２２９）。
【００４９】
従って、図７に示す楽曲リストからアーティスト「清水翔」２０が選択されて、アーティスト「清水翔」に関連付けられた楽曲データ（Ｄａｔａ３４）が再生されている場合、楽曲データ読出部Ｍ２９は、アーティスト「清水翔」の前記楽曲データの楽曲情報に記憶されている再生回数データを「１８」から「１９」に更新すると共に、図１０に示す楽曲再生画面を作成して表示部Ｍ１０に表示する。
【００５０】
また、ステップＳ２０３により表示された選択画面から、ユーザが符号５０ｂを選択した場合（Ｓ２０７）、制御部Ｍ２６は、アルバム検索モードが選択されたと判定する。そして、制御部Ｍ２６は、楽曲情報記憶部Ｍ２５に記憶されている楽曲情報データベースからアルバム情報とアルバム情報に対応付けられた言語種別情報（英語（Ａ―Ｚ）、日本語（かな・カナ・漢字）、数字（０−９））と再生回数データと、ファイルパスと、を取得する（Ｓ２３１）。次に、楽曲リスト作成部Ｍ２８は、ステップＳ２３１にて取得したアルバム情報に対応付けられた言語種別情報に基づいて言語種別毎に収録されているアルバム情報の再生回数データを算出する（Ｓ２３３）。そして、楽曲リスト作成部Ｍ２８は、言語種別毎のアルバム情報の再生回数データの算出結果に基づいて、再生回数が多い言語種別順にアルバム情報を並べ替えて楽曲検索用の楽曲リストを作成する（Ｓ２３５）。その後、楽曲リスト作成部Ｍ２８は、ステップＳ２３５にて作成された楽曲リストを表示部Ｍ１０に表示する（Ｓ２３７）。
【００５１】
従って、図１２に示した楽曲情報データベースの場合、上記ステップＳ２３１〜ステップＳ２３７により、英語のアルバム情報の総再生回数が「１６８」、数字のアルバム情報の総再生回数が「６」、日本語のアルバム情報の総再生回数が「１４５」と算出される。そのため、楽曲リスト作成部Ｍ２８は、アルバム情報の言語種別情報が「英語／日本語／数字」の順に並べ替えられた楽曲リスト（図８）を作成して、その楽曲リストの一部（例えば、連続する５項目）を表示部Ｍ１０に表示する。なお、この楽曲リストは図示しないスクロールキーでスクロール可能となっている。
【００５２】
次に、ユーザは、表示部Ｍ１０に表示された楽曲リストから所望のアルバムを選択する（Ｓ２３９）と、楽曲データ読出部Ｍ２９は、選択されたアルバムに関連付けて記憶されているファイルパスから再生する楽曲データを特定（Ｓ２４１）し、楽曲データ記憶部Ｍ４から楽曲データを読み出す（Ｓ２４３）。そして、楽曲データ読出部Ｍ２９が読み出した楽曲データは、上記ステップＳ２２５の処理が行われて再生され、上記ステップＳ２２９の処理により、再生されている楽曲データに対応する楽曲情報が表示部Ｍ１０に表示される。また、上記ステップＳ２２７の処理により、再生中の楽曲データの再生回数データが更新される。
【００５３】
従って、図８に示す楽曲リストからアルバム「あい世界」３０が選択されて、アルバム「あい世界」に関連付けられた楽曲データ（Ｄａｔａ３４）が再生されている場合、楽曲データ読出部Ｍ２９は、アルバム「あい世界」の前記楽曲データの楽曲情報に記憶されている再生回数データを「１８」から「１９」に更新すると共に、図１０に示す楽曲再生画面を作成して表示部Ｍ１０に表示する。
【００５４】
また、ステップＳ２０３により表示された選択画面から、ユーザが符号５０ｃを選択した場合（Ｓ２０９）、制御部Ｍ２６は、楽曲名での検索モードが選択されたと判定する。そして、制御部Ｍ２６は、楽曲情報記憶部Ｍ２５に記憶されている楽曲情報データベースから楽曲名情報と楽曲名情報に対応付けられた言語種別情報（英語（Ａ―Ｚ）、日本語（かな・カナ・漢字）、数字（０−９））と再生回数データと、ファイルパスと、を取得する（Ｓ２５１）。そして、楽曲リスト作成部Ｍ２８は、ステップＳ２５１にて取得した楽曲名情報に対応付けられた言語種別情報に基づいて言語種別毎に収録されている楽曲名情報の再生回数データを算出する（Ｓ２５３）。楽曲リスト作成部Ｍ２８は、言語種別毎の楽曲名情報の再生回数データの算出結果に基づいて、再生回数が多い言語種別順に楽曲名情報を並べ替えて楽曲検索用の楽曲リストを作成する（Ｓ２５５）。そして、楽曲リスト作成部Ｍ２８は、ステップＳ２５５にて作成された楽曲リストを表示部Ｍ１０に表示する（Ｓ２５７）。
【００５５】
従って、図１２に示した楽曲情報データベースの場合、上記ステップＳ２５１〜ステップＳ２５７により、英語の楽曲名情報の総再生回数が「１０４」、数字の楽曲名情報の総再生回数が「３４」、日本語の楽曲名情報の総再生回数が「１８１」と算出される。そのため、楽曲リスト作成部Ｍ２８は、楽曲名情報の言語種別情報が「日本語／英語／数字」の順に並べ替えられた楽曲リスト（図９）を作成して、その楽曲リストの一部（例えば、連続する５項目）を表示部Ｍ１０に表示する。なお、この楽曲リストは図示しないスクロールキーでスクロール可能となっている。
【００５６】
次に、ユーザは、表示部Ｍ１０に表示された楽曲リストから所望の楽曲名を選択すると（Ｓ２５９）、楽曲データ読出部Ｍ２９は、選択された楽曲名に関連付けて記憶されているファイルパスから再生する楽曲データを特定し（Ｓ２６１）、楽曲データ記憶部Ｍ４から楽曲データを読み出す（Ｓ２６３）。そして、楽曲データ読出部Ｍ２９が読み出した楽曲データは、上記ステップＳ２２５の処理が行われて再生され、上記ステップＳ２２９の処理により、再生されている楽曲データに対応する楽曲情報が表示部Ｍ１０に表示される。また、上記ステップＳ２２７の処理により、再生中の楽曲データの再生回数データが更新される。
【００５７】
従って、図９に示す楽曲リストから楽曲名「たったひとつ」４２が選択されて、楽曲名「たったひとつ」に関連付けられた楽曲データ（Ｄａｔａ３４）が再生されている場合、楽曲データ読出部Ｍ２９は、楽曲名「たったひとつ」の前記楽曲データの楽曲情報に記憶されている再生回数データを「１８」から「１９」に更新すると共に、図１０に示す楽曲再生画面を作成して表示部Ｍ１０に表示する。
【００５８】
上記の構成と処理により、言語種別毎に区分されて記憶されている楽曲情報を検索する際、言語種別毎の楽曲情報の再生回数に応じて、楽曲情報を並べ替えてリスト表示するようにしたため、ユーザの嗜好を反映し、かつ、所望の楽曲を検索する時のリストスクロール回数を少なくし、操作時間を短縮することができる。
【実施例３】
【００５９】
図１６は、実施例３に係るオーディオ装置の構成図である。また、本オーディオ装置は、携帯型オーディオ装置と接続可能な車載オーディオ装置である。ここで、前記携帯型オーディオ装置は、実施例１に係る携帯型オーディオ装置Ｍ１であるものとして、同じ符号を付して、その説明を省略する。
【００６０】
外部接続インターフェースＣ２は携帯型オーディオ装置Ｍ１と接続するためのインターフェースである。
【００６１】
操作部Ｃ３は、タッチパネルやリモコンなどから構成され、外部接続インターフェースＣ２に接続された携帯型オーディオ装置Ｍ１より楽曲データと楽曲情報とから構成されるオーディオファイル（ＭＰ３ファイルなど）を取得する指示、楽曲情報の検索指示、楽曲データの再生指示を行うことができる。
【００６２】
制御部Ｃ６は、楽曲リスト作成部Ｃ８、楽曲データ読出部Ｃ９から構成される。楽曲リスト作成部Ｃ８は、ユーザが操作部Ｃ３から楽曲情報検索指示をすると、外部接続インターフェースＣ２に接続された携帯型オーディオ装置Ｍ１に備えられた楽曲情報記憶部Ｍ５から楽曲情報を読み出して、楽曲検索用の楽曲リストを作成して表示部Ｃ１０に出力する。なお、楽曲リスト再生処理については後述する。楽曲データ読出部Ｃ９は、ユーザが操作部Ｃ３から楽曲データ再生指示をすると、指示された楽曲データを携帯型オーディオ装置Ｍ１に備えられた楽曲データ記憶部Ｍ４から読み出して楽曲データ再生部Ｃ１１に出力する。このとき、楽曲データ読出部Ｃ９は、指示された楽曲データに対応する楽曲情報や各種再生コマンドを表示した再生画面を作成して表示部Ｃ１０に出力する。
【００６３】
表示部Ｃ１０は、液晶表示装置で構成され、制御部Ｃ６から入力される楽曲リストや再生画面を表示する。
楽曲データ再生部Ｃ１１は、制御部Ｃ６より入力された楽曲データを再生できるように、楽曲データに対して復号処理やＤ/Ａ変換処理等を行い、スピーカＣ１２は、楽曲データ再生部Ｃ１１より入力された楽曲データを出力する。
【００６４】
次に、車載オーディオ装置Ｃ１の楽曲検索及び再生処理について説明する。
図１７〜１９は、実施例３に係る車載オーディオ装置の楽曲検索及び再生処理のフローチャートである。ここで、実施例１の楽曲記憶処理（図２）により、携帯型オーディオ装置Ｍ１に備えられている楽曲情報記憶部Ｍ５には、図２６に示した楽曲情報データベースが記憶されており、携帯型オーディオ装置Ｍ１に備えられている楽曲データ記憶部Ｍ４には楽曲情報記憶部Ｍ５に記憶されている楽曲情報に対応する楽曲データが記憶されているものとする。
【００６５】
まず、制御部Ｃ６は、車載オーディオ装置Ｃ１に携帯型オーディオ装置Ｍ１が外部接続インターフェースＣ２を介して接続されているか否かを判定する（Ｓ３０１）。制御部Ｃ６により、車載オーディオ装置Ｃ１に携帯型オーディオ装置Ｍ１が接続されていないと判定された場合、ステップＳ３０１の処理を継続して行う。一方、制御部Ｃ６により、車載オーディオ装置Ｃ１に携帯型オーディオ装置Ｍ１が接続されていると判定された場合、制御部Ｃ６は、ユーザが操作部Ｃ３より楽曲検索を指示したか否かを判定する（Ｓ３０３）。ステップＳ３０３により、ユーザが操作部Ｃ３より楽曲検索指示していないと判定された場合、ステップＳ３０３の処理を継続して行う。一方、ステップＳ３０３により、ユーザが操作部Ｃ３より楽曲検索を指示したと判定された場合、制御部Ｃ６は、楽曲検索モードをユーザに選択させる画面（図６）を作成して表示部Ｃ１０に表示する（Ｓ３０５）。続いて、制御部Ｃ６は、ユーザにより選択画面から選択される楽曲検索モードを判定する。具体的にはユーザにより図６の選択画面から符号５０ａ、符号５０ｂ、符号５０ｃのいずれかが選択されたかを監視することにより判定する。
【００６６】
ユーザが選択画面から符号５０ａを選択した場合（Ｓ３０７）、制御部Ｃ６はアーティスト検索モードが選択されたと判定し、制御部Ｃ６は、外部接続インターフェースＣ２を介して、携帯型オーディオ装置Ｍ１の楽曲情報記憶部Ｍ５に記憶されている楽曲情報データベースからアーティスト情報とアーティスト情報に対応付けられた言語種別情報（英語（Ａ―Ｚ）、日本語（かな・カナ・漢字）、数字（０−９））とファイルパスと、を取得する（Ｓ３１３）。そして、楽曲リスト作成部Ｃ８は、ステップＳ３１３にて取得したアーティスト情報に対応付けられた言語種別情報に基づいて言語種別毎に収録されているアーティスト情報の項目数を算出する（Ｓ３１５）。楽曲リスト作成部Ｃ８は、言語種別毎のアーティスト情報の項目数の算出結果に基づいて、アーティスト情報の項目数が多い言語種別順にアーティスト情報を並べ替えて楽曲検索用の楽曲リストを作成する（Ｓ３１７）。そして、楽曲リスト作成部Ｃ８は、ステップＳ３１７にて作成された楽曲リストを表示部Ｃ１０に表示する（Ｓ３１９）。
【００６７】
従って、図２６に示した楽曲情報データベースの場合、上記ステップＳ３１３〜ステップＳ３１９により、英語のアーティスト情報の項目数が「４」、数字のアーティスト情報の項目数が「２」、日本語のアーティスト情報の項目数が「５」と算出される。そのため、楽曲リスト作成部Ｃ８は、アーティスト情報の言語種別情報が「日本語／英語／数字」の順に並べ替えられた楽曲リスト（図７）を作成して、その楽曲リストの一部（例えば、連続する５項目）を表示部Ｃ１０に表示する。なお、この楽曲リストは図示しないスクロールキーでスクロール可能となっている。
【００６８】
次に、ユーザは、表示部Ｃ１０に表示された楽曲リストから所望のアーティストを選択すると（Ｓ３２１）、楽曲データ読出部Ｃ９は、選択されたアーティストに関連付けて記憶されているファイルパスから再生する楽曲データを特定し（Ｓ３２３）、携帯型オーディオ装置Ｍ１の楽曲データ記憶部Ｍ４から楽曲データを読み出す（Ｓ３２５）。
そして、楽曲データ読出部Ｃ９が読み出した前記楽曲データは再生指示により楽曲データ再生部Ｃ１１に出力され、楽曲データ再生部Ｃ１１で復号処理やＤ/Ａ変換処理が行われ、スピーカＣ１２から出力される（Ｓ３２７）。また、楽曲データ読出部Ｃ９は、ステップＳ３２７で再生されている楽曲データに対応する楽曲情報を携帯型オーディオ装置Ｍ１の楽曲情報記憶部Ｍ５より読み出して表示部Ｃ１０に表示する（Ｓ３２９）。
【００６９】
従って、図７に示す楽曲リストからアーティスト「清水翔」２０が選択されて、アーティスト「清水翔」に関連付けられた楽曲データが再生されている場合、楽曲データ読出部Ｃ９は、図１０に示す楽曲再生画面を作成して表示部Ｃ１０に表示する。
【００７０】
また、ステップＳ３０５により表示された選択画面から、符号５０ｂを選択した場合（Ｓ３０９）、制御部Ｃ６は、アルバム検索モードが選択されたと判定する。そして、制御部Ｃ６は、携帯型オーディオ装置Ｍ１の楽曲情報記憶部Ｍ５に記憶されている楽曲情報データベースからアルバム情報とアルバム情報に対応付けられた言語種別情報（英語（Ａ―Ｚ）、日本語（かな・カナ・漢字）、数字（０−９））とファイルパスと、を取得する（Ｓ３３１）。そして、楽曲リスト作成部Ｃ８は、ステップＳ３３１にて取得したアルバム情報に対応付けられた言語種別情報に基づいて言語種別毎に収録されているアルバム情報の項目数を算出する（Ｓ３３３）。楽曲リスト作成部Ｃ８は、言語種別毎のアルバム情報の項目数の算出結果に基づいて、アルバム情報の項目数が多い言語種別順にアルバム情報を並べ替えて楽曲検索用の楽曲リストを作成する（Ｓ３３５）。そして、楽曲リスト作成部Ｃ８は、ステップＳ３３５にて作成された楽曲リストを表示部Ｃ１０に表示する（Ｓ３３７）。
【００７１】
従って、図２６に示した楽曲情報データベースの場合、上記ステップＳ３３１〜ステップＳ３３７により、英語のアルバム情報の項目数が「７」、数字のアルバム情報の項目数が「１」、日本語のアルバム情報の項目数が「６」と算出される。そのため、楽曲リスト作成部Ｃ８は、アルバム情報の言語種別情報が「英語／日本語／数字」の順に並べ替えられた楽曲リスト（図８）を作成して、その楽曲リストの一部（例えば、連続する５項目）を表示部Ｃ１０に表示する。なお、この楽曲リストは図示しないスクロールキーでスクロール可能となっている。
【００７２】
次に、ユーザは、表示部Ｃ１０に表示された楽曲リストから所望のアルバムを選択すると（Ｓ３３９）、楽曲データ読出部Ｃ９は、選択されたアルバムに関連付けて記憶されているファイルパスから再生する楽曲データを特定し（Ｓ３４１）、携帯型オーディオ装置Ｍ１の楽曲データ記憶部Ｍ４から楽曲データを読み出す（Ｓ３４３）。そして、楽曲データ読出部Ｃ９が読み出した楽曲データは、上記ステップＳ３２７の処理が行われ、楽曲データが再生され、上記ステップＳ３２９の処理により、再生されている楽曲データに対応する楽曲情報が表示部Ｃ１０に表示される。
【００７３】
従って、図８に示す楽曲リストからアルバム「あい世界」３０が選択されて、アルバム「あい世界」に関連付けられた楽曲データ（Ｄａｔａ３４）が再生されている場合、楽曲データ読出部Ｃ９は、図１０に示す楽曲再生画面を作成して表示部Ｃ１０に表示する。
【００７４】
また、ステップＳ３０５により表示された選択画面から、符号５０ｃを選択した場合（Ｓ３１１）、制御部Ｃ６は、楽曲名での検索モードと判定する。そして、制御部Ｃ６は、携帯型オーディオ装置Ｍ１の楽曲情報記憶部Ｍ５に記憶されている楽曲情報データベースから楽曲名情報と楽曲名情報に対応付けられた言語種別情報（英語（Ａ―Ｚ）、日本語（かな・カナ・漢字）、数字（０−９））とファイルパスとを取得する（Ｓ３５１）。そして、楽曲リスト作成部Ｃ８は、ステップＳ３５１にて取得した楽曲名情報に対応付けられた言語種別情報に基づいて言語種別毎に収録されている楽曲名情報の項目数を算出する（Ｓ３５３）。楽曲リスト作成部Ｃ８は、言語種別毎の楽曲名情報の項目数の算出結果に基づいて、楽曲名情報の項目数が多い言語種別順に楽曲名情報を並べ替えて楽曲検索用の楽曲リストを作成する（Ｓ３５５）。そして、楽曲リスト作成部Ｃ８は、ステップＳ３５５にて作成された楽曲リストを表示部Ｃ１０に表示する（Ｓ３５７）。
【００７５】
従って、図２６に示した楽曲情報データベースの場合、上記ステップＳ３５１〜ステップＳ３５７により、英語の楽曲名情報の項目数が「１０」、数字の楽曲名情報の項目数が「１」、日本語の楽曲名情報の項目数が「１２」と算出される。そのため、楽曲リスト作成部Ｃ８は、楽曲名情報の言語種別情報が「日本語／英語／数字」の順に並べ替えられた楽曲リスト（図９）を作成して、その楽曲リストの一部（例えば、連続する５項目）を表示部Ｃ１０に表示する。なお、この楽曲リストは図示しないスクロールキーでスクロール可能となっている。
【００７６】
次に、ユーザは、表示部Ｃ１０に表示された楽曲リストから所望の楽曲名を選択すると（Ｓ３５９）、楽曲データ読出部Ｃ９は、選択された楽曲名に関連付けて記憶されているファイルパスから再生する楽曲データを特定し（Ｓ３６１）、携帯型オーディオ装置Ｍ１の楽曲データ記憶部Ｍ４から楽曲データを読み出す（Ｓ３６３）。そして、楽曲データ読出部Ｃ９が読み出した楽曲データは、上記ステップＳ３２７の処理が行われ、楽曲データが再生され、上記ステップＳ３２９の処理により、再生されている楽曲データに対応する楽曲情報が表示部Ｃ１０に表示される。
【００７７】
従って、図９に示す楽曲リストから楽曲名「たったひとつ」４２が選択されて、楽曲名「たったひとつ」に関連付けられた楽曲データ（Ｄａｔａ３４）が再生されている場合、楽曲データ読出部Ｃ９は、図１０に示す楽曲再生画面を作成して表示部Ｃ１０に表示する。
【００７８】
上記の構成と処理により、車載オーディオ装置Ｃ１を用いて携帯型オーディオ装置Ｍ１に記憶されている楽曲情報の検索を行う時、言語種別毎に区分されて記憶されている楽曲情報の項目数に応じて、楽曲情報を並べ替えてリスト表示するようにしたため、ユーザの嗜好を反映し、かつ、所望の楽曲を検索する時のリストスクロール回数を少なくし、操作時間を短縮することができる。
【実施例４】
【００７９】
図２０は、実施例４に係るオーディオ装置の構成図である。また、本オーディオ装置は、携帯型オーディオ装置と接続可能な車載オーディオ装置である。ここで、上記携帯型オーディオ装置は、実施例２に係る携帯型オーディオ装置Ｍ２１であるものとして、同じ符号を付して、その説明を省略する。また、実施例３の車載オーディオ装置（図１６）と同じ構成要素についても、同じ符号を付して、その説明を省略する。
【００８０】
制御部Ｃ２６は、楽曲リスト作成部Ｃ２８、楽曲データ読出部Ｃ９から構成される。楽曲リスト作成部Ｃ２８は、ユーザが操作部Ｃ３から楽曲情報検索を指示すると、外部接続インターフェースＣ２に接続された携帯型オーディオ装置Ｍ２１に備えられた楽曲情報記憶部Ｍ２５から楽曲情報や再生回数データを読み出して、この再生回数データに基づいて楽曲検索用の楽曲リストを作成して表示部Ｃ１０に出力する。なお、楽曲リスト再生処理については後述する。
【００８１】
次に、車載オーディオ装置Ｃ２１の楽曲検索及び再生処理について説明する。
図２１〜２３は、実施例４に係る車載オーディオ装置の楽曲検索及び再生処理のフローチャートである。ここで、携帯型オーディオ装置Ｍ２１の楽曲情報記憶部Ｍ２５には、図１２で示した楽曲情報データベースが記憶されており、再生回数データが更新されている状態であり、楽曲データ記憶部Ｍ４には携帯型オーディオ装置Ｍ２１の楽曲情報記憶部Ｍ２５に記憶されている楽曲情報に対応する楽曲データが記憶されているものとする。
【００８２】
まず、制御部Ｃ２６は、車載オーディオ装置Ｃ２１に携帯型オーディオ装置Ｍ２１が外部接続インターフェースＣ２を介して接続されているか否かを判定する（Ｓ４０１）。ステップＳ４０１により、車載オーディオ装置Ｃ２１に携帯型オーディオ装置Ｍ２１が接続されていないと判定された場合、ステップＳ４０１の処理を継続して行う。一方、ステップＳ４０１により、車載オーディオ装置Ｃ２１に携帯型オーディオ装置Ｍ２１が接続されていると判定された場合、制御部Ｃ２６は、ユーザが操作部Ｃ３より楽曲検索を指示したか否かを判定する（Ｓ４０３）。制御部Ｃ２６により、ユーザが操作部Ｃ３より楽曲検索指示していないと判定された場合、ステップＳ４０３の処理を継続して行う。一方、制御部Ｃ２６により、ユーザが操作部Ｃ３より楽曲検索を指示したと判定された場合、制御部Ｃ２６は、楽曲検索モードをユーザに選択させる画面（図６）を作成して表示部Ｃ１０に表示する（Ｓ４０５）。続いて、制御部Ｃ２６は、ユーザにより選択画面から選択される楽曲検索モードを判定する。具体的にはユーザにより図６の選択画面から符号５０ａ、符号５０ｂ、符号５０ｃのいずれかが選択されたかを監視することにより判定する。
【００８３】
ユーザが選択画面から符号５０ａを選択した場合（Ｓ４０７）、制御部Ｃ２６はアーティスト検索モードが選択されたと判定し、制御部Ｃ２６は、外部接続インターフェースＣ２を介して、携帯型オーディオ装置Ｍ２１の楽曲情報記憶部Ｍ２５に記憶されている楽曲情報データベースからアーティスト情報とアーティスト情報に対応付けられた言語種別情報（英語（Ａ―Ｚ）、日本語（かな・カナ・漢字）、数字（０−９））と再生回数データと、ファイルパスと、を取得する（Ｓ４１３）。次に、楽曲リスト作成部Ｃ２８は、ステップＳ４１３にて取得したアーティスト情報に対応付けられた言語種別情報に基づいて言語種別毎に収録されているアーティスト情報の再生回数データを算出する（Ｓ４１５）。楽曲リスト作成部Ｃ２８は、言語種別毎のアーティスト情報の再生回数データの算出結果に基づいて、再生回数が多い言語種別順にアーティスト情報を並べ替えて楽曲検索用の楽曲リストを作成する（Ｓ４１７）。そして、楽曲リスト作成部Ｃ２８は、ステップＳ４１７にて作成された楽曲リストを表示部Ｃ１０に表示する（Ｓ４１９）。
【００８４】
従って、図１２に示した楽曲情報データベースの場合、上記ステップＳ４１３〜ステップＳ４１９により、英語のアーティスト情報の総再生回数が「１１５」、数字のアーティスト情報の総再生回数が「４０」、日本語のアーティスト情報の総再生回数が「１６４」と算出される。そのため、楽曲リスト作成部Ｃ２８は、アーティスト情報の言語種別情報が「日本語／英語／数字」の順に並べ替えられた楽曲リスト（図７）を作成して、その楽曲リストの一部（例えば、連続する５項目）を表示部Ｃ１０に表示する。なお、この楽曲リストは図示しないスクロールキーでスクロール可能となっている。
【００８５】
次に、ユーザは、表示部Ｃ１０に表示された楽曲リストから所望のアーティストを選択する（Ｓ４２１）と、楽曲データ読出部Ｃ９は、選択されたアーティストに関連付けて記憶されているファイルパスから再生する楽曲データを特定（Ｓ４２３）し、携帯型オーディオ装置Ｍ２１の楽曲データ記憶部Ｍ４から楽曲データを読み出す（Ｓ４２５）。そして、楽曲データ読出部Ｃ９が読み出した前記楽曲データは再生指示により楽曲データ再生部Ｃ１１に出力され、楽曲データ再生部Ｃ１１で復号処理やＤ/Ａ変換処理が行われ、その後、スピーカＣ１２から出力される（Ｓ４２７）。また、楽曲データ読出部Ｃ９は、ステップＳ４２７で再生されている楽曲データに対応する楽曲情報を携帯型オーディオ装置Ｍ２１の楽曲情報記憶部Ｍ２５より読み出して表示部Ｃ１０に表示する（Ｓ４２９）。
【００８６】
従って、図７に示す楽曲リストからアーティスト「清水翔」２０が選択されて、アーティスト「清水翔」に関連付けられた楽曲データ（Ｄａｔａ３４）が再生されている場合、楽曲データ読出部Ｃ９は、図１０に示す楽曲再生画面を作成して表示部Ｃ１０に表示する。
【００８７】
また、ステップＳ４０５により表示された選択画面から、符号５０ｂを選択した場合（Ｓ４０９）、制御部Ｃ２６は、アルバム検索モードが選択されたと判定する。そして、制御部Ｃ２６は、携帯型オーディオ装置Ｍ２１の楽曲情報記憶部Ｍ２５に記憶されている楽曲情報データベースからアルバム情報とアルバム情報に対応付けられた言語種別情報（英語（Ａ―Ｚ）、日本語（かな・カナ・漢字）、数字（０−９））と再生回数データと、ファイルパスと、を取得する（Ｓ４３１）。次に、楽曲リスト作成部Ｃ２８は、ステップＳ４３１にて取得したアルバム情報に対応付けられた言語種別情報に基づいて言語種別毎に収録されているアルバム情報の再生回数データを算出する（Ｓ４３３）。楽曲リスト作成部Ｃ２８は、言語種別毎のアルバム情報の再生回数データの算出結果に基づいて、再生回数が多い言語種別順にアルバム情報を並べ替えて楽曲検索用の楽曲リストを作成する（Ｓ４３５）。そして、楽曲リスト作成部Ｃ２８は、ステップＳ４３５にて作成された楽曲リストを表示部Ｃ１０に表示する（Ｓ４３７）。
【００８８】
従って、図１２に示した楽曲情報データベースの場合、上記ステップＳ４３１〜ステップＳ４３７により、英語のアルバム情報の総再生回数が「１６８」、数字のアルバム情報の総再生回数が「６」、日本語のアルバム情報の総再生回数が「１４５」と算出される。そのため、楽曲リスト作成部Ｃ２８は、アルバム情報の言語種別情報が「英語／日本語／数字」の順に並べ替えられた楽曲リスト図８を作成して、その楽曲リストの一部（例えば、連続する５項目）を表示部Ｃ１０に表示する。なお、この楽曲リストは図示しないスクロールキーでスクロール可能となっている。
【００８９】
次に、ユーザは、表示部Ｃ１０に表示された楽曲リストから所望のアルバムを選択する（Ｓ４３９）と、楽曲データ読出部Ｃ９は、選択されたアルバムに関連付けて記憶されているファイルパスから再生する楽曲データを特定（Ｓ４４１）し、携帯型オーディオ装置Ｍ２１の楽曲データ記憶部Ｍ２４から楽曲データを読み出す（Ｓ４４３）。そして、楽曲データ読出部Ｍ９が読み出した楽曲データは、上記ステップＳ４２７の処理が行われて楽曲データが再生され、上記ステップＳ４２９の処理により、再生されている楽曲データに対応する楽曲情報が表示部Ｃ１０に表示される。
【００９０】
従って、図８に示す楽曲リストからアルバム「あい世界」３０が選択されて、アルバム「あい世界」に関連付けられた楽曲データ（Ｄａｔａ３４）が再生されている場合、楽曲データ読出部Ｃ９は、図１０に示す楽曲再生画面を作成して表示部Ｃ１０に表示する。
【００９１】
また、ステップＳ４０５により表示された選択画面から、符号５０ｃを選択した場合（Ｓ４１１）、制御部Ｃ２６は、楽曲名での検索モードが選択されたと判定する。そして、制御部Ｃ２６は、携帯型オーディオ装置Ｍ２１の楽曲情報記憶部Ｍ２５に記憶されている楽曲情報データベースから楽曲名情報と楽曲名情報に対応付けられた言語種別情報（英語（Ａ―Ｚ）、日本語（かな・カナ・漢字）、数字（０−９））と再生回数データと、ファイルパスと、を取得する（Ｓ４５１）。そして、楽曲リスト作成部Ｃ２８は、ステップＳ４５１にて取得した楽曲名情報に対応付けられた言語種別情報に基づいて言語種別毎に収録されている楽曲名情報の再生回数データを算出する（Ｓ４５３）。楽曲リスト作成部Ｃ２８は、言語種別毎の楽曲名情報の再生回数データの算出結果に基づいて、再生回数が多い言語種別順に楽曲名情報を並べ替えて楽曲検索用の楽曲リストを作成する（Ｓ４５５）。そして、楽曲リスト作成部Ｃ２８は、ステップＳ４５５にて作成された楽曲リストを表示部Ｃ１０に表示する（Ｓ４５７）。
【００９２】
従って、図１２に示した楽曲情報データベースの場合、上記ステップＳ４５１〜ステップＳ４５７により、英語の楽曲名情報の総再生回数が「１０４」、数字の楽曲名情報の総再生回数が「３４」、日本語の楽曲名情報の総再生回数が「１８１」と算出される。そのため、楽曲リスト作成部Ｃ２８は、楽曲名情報の言語種別情報が「日本語／英語／数字」の順に並べ替えられた楽曲リスト図９を作成して、その楽曲リストの一部（例えば、連続する５項目）を表示部Ｃ１０に表示する。なお、この楽曲リストは図示しないスクロールキーでスクロール可能となっている。
【００９３】
次に、ユーザは、表示部Ｃ１０に表示された楽曲リストから所望の楽曲名を選択すると（Ｓ４５９）、楽曲データ読出部Ｃ９は、選択された楽曲名に関連付けて記憶されているファイルパスから再生する楽曲データを特定し（Ｓ４６１）、携帯型オーディオ装置Ｍ２１の楽曲データ記憶部Ｍ４から楽曲データを読み出す（Ｓ４６３）。そして、楽曲データ読出部Ｃ９が読み出した楽曲データは、上記ステップＳ４２７の処理が行われて楽曲データが再生され、上記ステップＳ４２９の処理により、再生されている楽曲データに対応する楽曲情報が表示部Ｃ１０に表示される。
【００９４】
従って、図９に示す楽曲リストから楽曲名「たったひとつ」４２が選択されて、楽曲名「たったひとつ」に関連付けられた楽曲データ（Ｄａｔａ３４）が再生されている場合、楽曲データ読出部Ｃ９は、図１０に示す楽曲再生画面を作成して表示部Ｃ１０に表示する。
【００９５】
上記の構成と処理により、車載オーディオ装置Ｃ２１を用いて携帯型オーディオ装置Ｍ２１に記憶されている楽曲情報の検索を行う時、言語種別毎に区分されて記憶されている楽曲情報の再生回数に応じて、楽曲情報を並べ替えてリスト表示するようにしたため、ユーザの嗜好を反映し、かつ、所望の楽曲を検索する時のリストスクロール回数を少なくし、操作時間を短縮することができる。
【００９６】
なお、実施例４の車載オーディオ装置での楽曲再生において携帯型オーディオ装置に記憶されている楽曲情報の再生回数データの更新は行わないものとしたが、車載オーディオ装置に再生回数データ更新機能を持たすようにしてもよい。
また、記憶媒体（例えば、ＣＤ）内の楽曲データを記憶するリッピング機能を備えているオーディオ装置の楽曲検索についても実施例１〜４を適用することは可能である。
【００９７】
なお、本発明は記載されている本実施形態に限られるものではなく、本発明の趣旨に基づいて種々変形させることが可能であり、それらを本発明の範囲から除外するものではない。
【符号の説明】
【００９８】
Ｍ１、Ｍ２１  携帯型オーディオ装置
Ｃ１、Ｃ２１  車載オーディオ装置
Ｍ３、Ｃ３  操作部
Ｍ４  楽曲データ記憶部
Ｍ５  楽曲情報記憶部
Ｍ６、Ｍ２６、Ｃ６、Ｃ２６  制御部
Ｍ７、Ｍ２７  データ記憶処理部
Ｍ８、Ｍ２８、Ｃ８、Ｃ２８  楽曲リスト作成部
Ｍ９、Ｃ９  楽曲データ読出部
Ｍ１０、Ｃ１０  表示部
Ｍ１１、Ｃ１１  楽曲データ再生部
【図１】
2010238275.tif 000003
【図２】
2010238275.tif 000004
【図３】
2010238275.tif 000005
【図４】
2010238275.tif 000006
【図５】
2010238275.tif 000007
【図６】
2010238275.tif 000008
【図７】
2010238275.tif 000009
【図８】
2010238275.tif 000010
【図９】
2010238275.tif 000011
【図１０】
2010238275.tif 000012
【図１１】
2010238275.tif 000013
【図１２】
2010238275.tif 000014
【図１３】
2010238275.tif 000015
【図１４】
2010238275.tif 000016
【図１５】
2010238275.tif 000017
【図１６】
2010238275.tif 000018
【図１７】
2010238275.tif 000019
【図１８】
2010238275.tif 000020
【図１９】
2010238275.tif 000021
【図２０】
2010238275.tif 000022
【図２１】
2010238275.tif 000023
【図２２】
2010238275.tif 000024
【図２３】
2010238275.tif 000025
【図２４】
2010238275.tif 000026
【図２５】
2010238275.tif 000027
【図２６】
2010238275.tif 000028